(57)【要約】【課題】設置、増減設、移動、移設及び撤去を繰り返しながら利用するローラーコンベアーで、被ローラーコンベアーの両側面の任意の位置に他のローラーコンベアーを簡単迅速にＴ型に連結し、コンベアー搬送方向の９０度転換点で積み替え作業を無くし、力が必要な積み替え作業を荷物の向きを変更するだけの軽作業に変更した。【解決手段】ローラーコンベアーのフレーム側面にローラーコンベアーＴ型連結補助金具を着脱自由に配する事で解決した。【選択図】図５
2014141336.tif 000002
【特許請求の範囲】
【請求項１】
多数のローラーを組み込んだローラーコンベアー、同コンベアーは左右平行に一対配したローラーコンベアーフレーム、同フレーム間に設けるローラー軸及びローラー、ローラーコンベアーフレームの一端に下方に開口した左右一対の連結フック、及び他端に連結フックが掛かる１本の連結軸を主要構成要素として配しており、一基目のローラーコンベアーの連結軸両端部に二基目の左右の連結フックを掛ける事で、順次直列に連結して希望する長さのローラーコンベアーに組み立てて利用するローラーコンベアー本体、該ローラーコンベアー本体のフレームの任意の側面にローラーコンベアーＴ型連結補助金具を設け、同Ｔ型連結補助金具は１本のＴ用連結軸と同連結軸を支持しコンベアーフレーム側面と着脱手段を有して取り付けるＴ用連結補助金具フレームで構成され、前記のＴ用連結軸に他のローラーコンベアーの連結フックを架けることで、コンベアーを直列ではなくＴ型に連結する事を可能にするローラーコンベアーＴ型連結補助金具。
【請求項２】
請求項１に記載のローラーコンベアーＴ型連結補助金具にあって、同金具のＴ用連結軸を他のコンベアーの一対の連結フックの片方が架かる短いＴ型連結補助金具とし、短いＴ用連結軸のＴ型連結補助金具２組で従来のローラーコンベアーＴ型連結補助金具一組として機能するローラーコンベアーＴ型連結補助金具。
【発明の詳細な説明】
【背景技術】
【０００１】
本発明は、主として圃場内で使用するローラーコンベアーの荷物の流れを９０度変更する目的で、ローラーコンベアーをＴ型に連結する補助金物に関する。
【０００２】
従来のローラーコンベアーを利用して搬送物の搬送方向を変更する機構は、変更位置の連結部のローラーコンベアー（以後、主ローラーコンベアーと呼ぶ）に直角叉は斜めに連結するコンベアー（以後、従ローラーコンベアーと呼ぶ）に、両者は受台で強固に支持され、落差を持って主ローラーコンベアーに搬送物の方向を変えるガイドに案内されながら移動する。
【０００３】
このような機構は屋外で設置、増減設、移動、移設及び撤去を繰り返しながら使用する農業の圃場内での利用には不向きで、工場内での利用を主に開発発展してきた現在の機構はそのままでは利用が困難である。
【先行技術文献】
【特許文献】
【０００４】
【特許文献１】特開２００８−１７４２７１号公報
【特許文献２】特開平９−１０７７１１号公報
【特許文献３】特開２００４−２６７０６９号公報
【特許文献４】特開２００１−２６９０１６号公報
【発明の概要】
【発明が解決しようとする課題】
【０００５】
第一の課題は、ローラーコンベアーを圃場に持ち込んで利用したく、特に未収穫の作物上の中空に位置するコンベアーは、設置、増減設、移動、移設及び撤去を繰り返すが、畝溝に平行した配置のコンベアーと畝溝に直交して配置したコンベアーの荷物を、積み替え作業を無くして、コンベアーを高さ調整等無く、Ｔ型に連続して搬送したい要望が有るが、お互いを連結するに最適な位置は作業の進み具合で任意に変化し、圃場内で別途嵩張る受台などを持ち込むことなく連結を実現し、簡便に同位置を変更したい。
【課題を解決するための手段】
【０００６】
ローラーコンベアー（以後、主ローラーコンベアーと呼ぶ）のフレーム側面にローラーコンベアーＴ型連結補助金具を着脱自由に配し、同Ｔ型連結補助金具に設けたＴ用連結軸に別のコンベアー本体（以後、従ローラーコンベアーと呼ぶ）の連結フックを掛ける事で解決した
【発明の効果】
【０００７】
上述したように本発明のローラーコンベアーＴ型連結補助金具は、小型軽量で別途連結用の受台を設けることなくＴ型に連結でき、又主ローラーコンベアーの両側面の任意の位置に取り付け及び移設が可能で、従ローラーコンベアーを主ローラーコンベアーの両側面のどの位置でもＴ型に連結でき、積み替え作業の場合は腕力を有する者を配置する必要が有るが、少しの力で荷物の向きを変えるだけの軽作業となり、非力なもので対応できる効果を発揮する。
【図面の簡単な説明】
【０００８】
【図１】ローラーコンベアーの側面図
【図２】ローラーコンベアーの平面図
【図３】本発明の１本のＴ用連結軸を有するローラーコンベアーＴ型連結補助金具を組み込んだローラーコンベアーの側面図
【図４】図１の矢視Ｂ−Ｂの一部断面図
【図５】本発明の２個一組で機能するローラーコンベアーＴ型連結補助金具を組み込んだローラーコンベアーの側面図
【図６】図５の｛Ｘ−Ｘ｝の拡大図
【発明を実施するための形態】
【０００９】
以下、本発明の実施の形態を図１〜図６に従い説明する。
【００１０】
Ｔ１は本発明のローラーコンベアーＴ型連結補助金具で、同金具Ｔ１はＴ用連結軸ＪＳＴ及び同連結軸を支持するＴ用連結補助金具フレームＴＦで構成し、同フレームＴＦは上部水平部材ＴＨＵ、下部水平部材ＴＨＤ及び左右一対の垂直部材ＴＶで構成し、一対の垂直部材ＴＶはＴ用連結軸ＪＳＴの両端部を直接指示し、同時に上部水平部材ＴＨＵと下部水平部材ＴＨＤを強固に連結してローラーコンベアーＴ型連結補助金具Ｔ１を構成し、他のローラーコンベアーＲの一対の連結フックＪＦを支持する機能を果たす。
【００１１】
Ｔ２は本発明のローラーコンベアーＴ型連結補助金具Ｔ１の別形態で、同金具Ｔ２はＴ１と類型で、Ｔ用連結軸ＪＳＴ及び同連結軸を支持するＴ用連結補助金具フレームＴＦを短くしてＴ２基でＴ１基の機能を発揮する、即ち、１基のＴ２は他のローラーコンベアーの一対の連結フックＪＦの片方を支持する機能を果たす。
【００１２】
ローラーコンベアーＴ型連結補助金具Ｔ２を利用する場合は、Ｔ用連結軸ＪＳを支持するフックの幅に比べて十二分に長くする事で、Ｔ用連結軸ＪＳと連結フックＪＦ位置の相対位置をＴ用連結軸ＪＳの長さの範囲で変更できる、即ち、左右一対の垂直部材ＴＶにローラー中心軸ＲＳ等が干渉する位置を回避でき、叉、Ｔ型連結補助金具Ｔ２を３基配し、中央の１基を共用して他のローラーコンベアー２基を並列に配置できる。
【００１３】
叉、ローラーコンベアーＴ型連結補助金具Ｔ２は、ローラーの長さか段階的に変化する別機種のローラーコンベアーに、同コンベアーの一対の連結フックの取り付け幅も段階的に広くなるが、そのままで使用可能である。
【００１４】
ローラーコンベアーＴ型連結補助金具Ｔ１及びＴ２の固定方法は、ローラーコンベアーのフレームＲＦの下面フランジＲＦＦＤとＴ用連結補助金具フレームＴＦの構成要素である下部水平部材ＴＨＤとをシャコ万力で供締めし、必要に応じローラーコンベアーのフレームＲＦの上面フランジＲＦＦＵとＴ用連結補助金具フレームＴＦの構成要素である上部水平部材ＴＨＵを追加して供締めして利用するが、上部を供締めする場合はシャコ万力の一部がローラーＲＲの頂面より上に出ないように配慮をする。
【符号の説明】
【００１５】
ＪＦ      連結フック
ＦＢ      連結フック取り付けボルト穴
ＪＳ      連結軸
ＪＳＴ    Ｔ型連結軸
Ｒ        ローラーコンベアー
ＲＦ      ローラーコンベアーのフレーム
ＲＦＦＵ  ローラーコンベアーのフレームの上面フランジ
ＲＦＦＤ  ローラーコンベアーのフレームの下面フランジ
ＲＲ      ローラーコンベアーのローラー
ＲＳ      ローラーの中心軸
Ｔ１      連結軸が１本のローラーコンベアーＴ型連結補助金具
Ｔ２      連結軸が短いＴ型連結補助金具でＴ２が２個でＴ１一組の機能を発揮するローラーコンベアーＴ型連結補助金具
ＴＦ      Ｔ用連結補助金具フレーム
ＴＨＵ    ＴＦの構成要素である上部水平部材
ＴＨＤ    ＴＦの構成要素である下部水平部材
ＴＶ      ＴＦの構成要素である左右一対の垂直部材
【図１】
2014141336.tif 000003
【図２】
2014141336.tif 000004
【図３】
2014141336.tif 000005
【図４】
2014141336.tif 000006
【図５】
2014141336.tif 000007
【図６】
2014141336.tif 000008